(57)【要約】      （修正有）【課題】カバーを開ける時にぐらつかない電子装置を提供する。【解決手段】電子装置は、ベース３０、回動軸によってベース３０に相対して開閉するカバー２０、互いに係合する減速部材及び当止部材を備え、減速部材と当止部材のうちの何れか一方はベース３０に設置されて他方はカバー２０に設置され、減速部材は、第一減速部５７０及び第一減速部５７０に接続される第二減速部５７１を備え、当止部材は突出アームを備え、突出アームの減速部材に対向する片側には突出部６４１が設置され、カバー２０がベース３０に相対して開けるときに、突出部６４１は第一減速部５７０から第二減速部５７１に移動するとともに第一減速部５７０及び第二減速部５７１と接触する。【選択図】図５
2014025584.tif 000002
【特許請求の範囲】
【請求項１】
ベース及び回動軸によって前記ベースに相対して開閉するカバーを備えてなる電子装置であって、
前記電子装置は、互いに係合する減速部材及び当止部材をさらに備え、前記減速部材と前記当止部材のうちの何れか一方は前記ベースに設置されて他方は前記カバーに設置され、前記減速部材は、第一減速部及び前記第一減速部に接続される第二減速部を備え、前記当止部材は突出アームを備え、前記突出アームの前記減速部材に対向する片側には突出部が設置され、前記カバーが前記ベースに相対して開けるときに、前記突出部は前記第一減速部から前記第二減速部に移動するとともに前記第一減速部及び前記第二減速部と接触することを特徴とする電子装置。
【請求項２】
前記減速部材は前記突出部に対向する第一側壁を備え、前記第一減速部及び前記第二減速部は全て前記第一側壁に設置されることを特徴とする請求項１に記載の電子装置。
【請求項３】
前記第一減速部は前記第一側壁に相対して傾斜する斜面であり、前記第二減速部は前記第一減速部に接続する平面であり、前記第二減速部が所在する平面は前記第一側壁に平行することを特徴とする請求項２に記載の電子装置。
【請求項４】
前記カバーを開ける時、前記突出部は前記第一減速部に沿って移動しながら前記第一側壁に近付くことを特徴とする請求項３に記載の電子装置。
【請求項５】
前記突出部は前記第一側壁に対向する平面である接触面を備え、前記突出部が前記第一減速部に沿って移動する時、前記接触面は前記第一減速部に接触し、前記突出部が前記第二減速部に沿って移動する時、前記接触面は前記第二減速部に合致して接触することを特徴とする請求項４に記載の電子装置。
【請求項６】
前記減速部材は前記第一側壁に設置される当止部をさらに備え、前記当止部と前記第一減速部は別々に前記第二減速部の両端に設置され、前記カバーが前記ベースに相対して完全に開けられる場合、前記突出部は前記当止部の内部に収容されることを特徴とする請求項２に記載の電子装置。
【請求項７】
前記減速部材は前記第一側壁に設置される導引部をさらに備え、前記導引部は、前記第二減速部と前記当止部との間に接続され且つ前記第二減速部から前記当止部側に向かう方向で前記第一側壁から離れる方向に沿って傾斜する斜面であることを特徴とする請求項７に記載の電子装置。
【請求項８】
前記当止部は、前記第一側壁から凹んで形成されることを特徴とする請求項８に記載の電子装置。
【発明の詳細な説明】
【技術分野】
【０００１】
本発明は、電子装置に関するものである。
【背景技術】
【０００２】
ディスクプレーヤー、ノート型コンピューター、携帯電話などの携帯式電子装置は人々の生活に広く利用されている。このような電子装置を操作する際、カバーを開けてベースの操作部を露出させる必要がある。
【０００３】
ディスクプレーヤーには、ベース及びベースに回動可能に接続されるカバーが備えられていると共に、カバーに対して進退する係止部材がベースの手前側に設けられており、この係止部材でカバーの端部を係止することにより、カバーを閉鎖することができる。又、ベースとカバーとの間には回動機構が設置され、回動機構は回動軸及び回動軸を囲むように設置されるトーションバネを備える。カバーを閉じるとき、トーションバネが圧縮変形して弾性力を蓄積し、カバーを開けるときに、トーションバネの弾性復帰力によってカバーが弾き開けられる。従来の回動機構において、トーションバネの弾性力が大きすぎると、トーションバネの弾性復帰力によってカバーが弾き開けられる際に、カバーの開け速度が速くなり、その結果、カバーがぐらつく不具合が生じ易いという問題がある。
【発明の概要】
【発明が解決しようとする課題】
【０００４】
本発明の目的は、前記問題を解決するものであり、カバーを開ける時にぐらつかない電子装置を提供することである。
【課題を解決するための手段】
【０００５】
本発明に係る電子装置は、ベース、回動軸によってベースに相対して開閉するカバー、互いに係合する減速部材及び当止部材を備え、減速部材と当止部材のうちの何れか一方はベースに設置されて他方はカバーに設置され、減速部材は、第一減速部及び第一減速部に接続される第二減速部を備え、当止部材は突出アームを備え、突出アームの減速部材に対向する片側には突出部が設置され、カバーがベースに相対して開けるときに、突出部は第一減速部から第二減速部に移動するとともに第一減速部及び第二減速部と接触する。
【発明の効果】
【０００６】
従来の技術に比べて、本発明の電子装置は、ベースに相対してカバーを開ける時、当止部材の突出部は、順次に減速部材の第一減速部及び第二減速部と接触して、カバーの開け速度が効果的に減速されるので、カバーは開けられる過程でぐらつかない。
【図面の簡単な説明】
【０００７】
【図１】本発明の実施形態に係る電子装置の部分斜視図である。
【図２】図１に示す電子装置の別の角度から見た部分斜視図である。
【図３】図２に示す電子装置の回動機構の部分斜視図である。
【図４】図２に示す電子装置の当止部材の斜視図である。
【図５】図１に示す電子装置の第一使用状態を示す部分斜視図である。
【図６】図１に示す電子装置の第二使用状態を示す部分斜視図である。
【図７】図１に示す電子装置の第三使用状態を示す部分斜視図である。
【発明を実施するための形態】
【０００８】
以下、図面を参照して、本発明の実施形態について説明する。
【０００９】
電子装置１００は、例えばディスクプレーヤー、ノート型コンピューター又は携帯電話であり、本実施形態において、特にノート型コンピューターが例として挙げられる。図１及び図２を参照すると、電子装置１００は、カバー２０と、ベース３０と、係止部材（図示せず）と、２つの緩衝機構４０ａ及び４０ｂと、２つのピボット７０（図３に示す）と、弾性部材（図示せず）と、を備える。カバー２０は、２つのピボット７０によってベース３０に回動可能に枢着される。係止部材はベース３０の手前側（カバー２０が枢着された端部の反対側）に設置され、この係止部材でカバー２０の端部を係止することにより、カバー２０の閉じられた状態を保持することができる。弾性部材の両端は、別々にカバー２０及びベース３０に当接する。係止部材が外力作用でカバー２０の端部を係止して、カバー２０が閉じると、弾性部材に弾性力が蓄積され、その後、外力作用で係止部材の係止が解除されると、弾性部材の弾性復帰力によってカバー２０を開けることができる。
【００１０】
カバー２０は、方形であり、第一側面２１と、第一側面２１に垂直に接続される第二側面２２と、対向して設置される第一表面（図示せず）及び第二表面２３と、を備える。カバー２０がベース３０に相対して閉じる場合、第二表面２３はベース３０に対面する。
【００１１】
ベース３０は、方形であり、第三側面３１と、第三側面３１に垂直に接続される第四側面３２と、対向して設置される第三表面３３及び第四表面３５と、２つの貫通孔３７と、を備える。第三側面３１は第一側面２１に平行し、第四側面３２は第二側面２２に平行する。カバー２０がベース３０に相対して閉じる場合、第三表面３３は第二表面２３に対面する。２つの貫通孔３７は、ベース３０の第三側面３１に近い一端に離間して設置される。
【００１２】
２つの緩衝機構４０ａ及び４０ｂは、構造が同じである。緩衝機構４０ａ及び４０ｂは、全て減速部材４０及び当止部材６０を備える。２つの減速部材４０は、カバー２０の第二表面２３の第一側面２１に近い一端に互いに離間して設置される。２つの当止部材６０は、ベース３０の第四表面３５の２つの減速部材４０に対応する位置に設置される。
【００１３】
図３を併せて参照すると、減速部材４０は、台形柱状であり、カバー２０の第二表面２３に平行する頂面５２と、カバー２０の第二表面２３と頂面５２との間に接続される第一側壁５３、第二側壁５４、第三側壁５５及び第四側壁５６と、を備える。第一側壁５３及び第二側壁５４は対向して設置され、第三側壁５５及び第四側壁５６は対向して設置される。第一側壁５３及び第二側壁５４は、カバー２０の第二表面２３に垂直に設置され、第三側壁５５及び第四側壁５６は、カバー２０の第二表面２３に対して斜めに設置され、第三側壁５５と第四側壁５６との間の距離は、カバー２０の第二表面２３から頂面５２に至って漸次小さくなる。第三側壁５５は第一側面２１から離れた位置にあり、第四側壁５６は第一側面２１に近い位置にある。
【００１４】
減速部材４０の第一側壁５３のうちの、頂面５２に近い方の一端には、減速部５７が設置される。減速部５７は、第一減速部５７０、第二減速部５７１、導引部５７２及び当止部５７３を備える。第一減速部５７０、第二減速部５７１、導引部５７２及び当止部５７３は、第三側壁５５側から第四側壁５６側に向かって順次に連設されている。第一減速部５７０は、第一側壁５３の第三側壁５５に近い一方端に設置され、当止部５７３は、第一側壁５３の第四側壁５６に近い他方端に設置され、第二減速部５７１は、第一減速部５７０と導引部５７２との間に設置され、導引部５７２は、第二減速部５７１と当止部５７３との間に設置される。
【００１５】
第一減速部５７０は、第三側壁５５から第四側壁５６側に向かって斜めに延在される斜面であり、第一減速部５７０が所在する平面は、第一側壁５３が所在する平面に相対して傾斜して一定の角度を呈する。第一減速部５７０の第三側壁５５側に近い一方端に比べて、第一減速部５７０の第四側壁５６側に近い他方端はさらに第一側壁５３に近い。本実施形態において、第一減速部５７０は、第一側壁５３と第三側壁５５の接続箇所から第四側壁５６側に向かって第一側壁５３に近い方向に沿って斜めに切ってなる。
【００１６】
第二減速部５７１は、第一減速部５７０の第三側壁５５側の一端に対して反対側に位置する他端に接続される平面であり、第二減速部５７１が所在する平面は、第一側壁５３が所在する平面に平行する。本実施形態において、第二減速部５７１が所在する平面と第一側壁５３が所在する平面は同じ平面に位置し、即ち第一側壁５３と第一減速部５７０の第三側壁５５側の一端に対して反対側に位置する他端が接続された部分である。
【００１７】
導引部５７２は、第二減速部５７１から第四側壁５６側に向かって斜めに延在してなる斜面であり、第二減速部５７１と当止部５７３を接続するために用いられる。導引部５７２の第三側壁５５に近い一端は、導引部５７２の第四側壁５６に近い他端に比べてさらに第一側壁５３に近い。本実施形態において、導引部５７２は、第二減速部５７１の第一減速部５７０側の一端に対して反対側に位置する他端から第四側壁５６側に向かって第一側壁５３から離れる方向に向かって斜めに切ってなる。
【００１８】
当止部５７３は、第一側壁５３から凹んで形成されて、導引部５７２の第二減速部５７１側の一端に対して反対側に位置する他端に接続され、導引部５７２と共に方形の凹部を形成する。
【００１９】
本実施形態において、第一減速部５７０及び導引部５７２の傾斜角度は小さく、第一減速部５７０、第二減速部５７１、導引部５７２、当止部５７３の相互間の接続部は滑らかである。
【００２０】
ピボット７０は、略円柱状であり、減速部材４０の第一側壁５３におけるカバー２０の第二表面２３に近い一端に設置される。ピボット７０は、カバー２０をベース３０に回動可能に接続させる回動軸として、カバー２０がベース３０に相対して開閉する場合、カバー２０はピボット７０を囲んでベース３０に相対して回動することができる。他の実施形態において、ピボット７０はカバー２０に単独に設置することができる。
【００２１】
図２及び図４を併せて参照すると、当止部材６０は、略Ｌ字状であり、第一固定部６１、第二固定部６２、突出柱６３及び突出アーム６４を備える。第一固定部６１及び第二固定部６２は、ロッド状であり且つ互いに垂直する。第一固定部６１の第二固定部６２から離れている一端には、第一固定部材６５を挿通させる定位孔６１０が開設される。突出柱６３は、略円柱状であり、第二固定部６２に設置されて第二固定部材６６を挿通させる。突出アーム６４は、第二固定部６２に設置され、接続部６４０及び突出部６４１を備える。接続部６４０は、第二固定部６２の第一固定部６１に近い方の側面から続いて延在して形成される。突出部６４１は、略円柱状であり、接続部６４０の第二固定部６２から離れている先端に設置される。突出部６４１の接続部６４０から離れている先端には接触面６４２が形成される。接触面６４２は、平面であり、減速部５７に接触するために用いられる。突出部６４１の突出方向と第一固定部６１の延在方向は平行している。
【００２２】
他の実施形態において、第一減速部５７０、導引部５７２の傾斜方向及び傾斜角度は、実際の需要によって定めることができ、カバー２０がベース３０に相対して開ける場合、突出部６４１は減速部５７に相対して移動し且つカバー２０の回動速度を緩める。当止部５７３の形状も実際の需要に応じて設計することができ、カバー２０がベース３０に相対して閉じる場合、突出部６４１は当止部５７３の内部に収容される。
【００２３】
図２を参照すると、組み立てる場合、当止部材６０をベース３０の第四表面３５の貫通孔３７の周囲に設置し、第一固定部材６５及び第二固定部材６６は、別々に第一固定部６１の定位孔６１０及び突出柱６３を貫いて、当止部材６０をベース３０の第四表面３５に固定する。第一固定部６１は、ベース３０の第三側面３１に平行し且つ貫通孔３７の第三側面３１から離れている片側に位置する。第二固定部６２は、ベース３０の第四側面３２に平行し且つ貫通孔３７の第四側面３２に近い片側に位置する。突出アーム６４は、第二固定部６２から突出され、且つ突出部６４１は第四側面３２に背向する。減速部材４０を貫通孔３７に貫かせ且つピボット７０の回動によってベース３０に接続され、第一側壁５３は突出アーム６４に対面する。カバー２０をベース３０に完全に閉じると、突出部６４１は第三側壁５５に合致して接触する。
【００２４】
図５、図６及び図７を参照すると、カバー２０をベース３０に相対して開ける時、減速部材４０はピボット７０を中心として回動し、突出部６４１は第一減速部５７０に接触し且つ第一減速部５７０に沿って第二減速部５７１に向かってスライドする。第一減速部５７０は突出部６４１にとって上に向かって傾斜する斜面であり、突出部６４１の接触面６４２は平面であるので、カバー２０を開けているところ、接触面６４２と第一減速部５７０の接触面積は小さく、減速部材４０はベース３０に相対して緩やかに減速して、カバー２０の安定性を確保する。それから突出部６４１は第一減速部５７０から第二減速部５７１に入り且つ第二減速部５７１に沿ってスライドする。第二減速部５７１及び接触面６４２は互いに合致して接触する平面であるので、接触面６４２と第二減速部５７１との間の接触面積が大きく、減速部材４０はベース３０に相対してさらに減速し且つ停止状態に接近する。最後に、カバー２０にベース３０から離れる外力を印加すると、突出部６４１は導引部５７２に沿って当止部５７３が所在する空間に落ちてロックされる。他の実施形態において、突出部６４１は、第二減速部５７１から当止部５７３に入る過程は他の方式を選択することができ、例えば、突出部６４１が第二減速部５７１の末端に移動した時にカバー２０の回動は完全に停止せず、突出部６４１は導引部５７２にガイドされて自動的に当止部５７３の内部に滑って入る。
【００２５】
本発明の電子装置１００において、ベース３０に相対してカバー２０を開けるとき、先ず、突出部６４１が第一減速部５７０に接触して、カバー２０の回動速度を最初に下げてから、次に、突出部６４１が第二減速部５７１に接触して、カバー２０の回動速度をさらに下げ、最後に、突出部６４１は当止部５７３が所在する空間にロックされて、カバー２０は固定されて回動を停止する。カバー２０を開ける過程において、減速部材４０及び当止部材６０の係合によってカバー２０の回動速度を緩やかに減速させてからさらに減速させるので、カバー２０は安定した開き過程が確保する。
【００２６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２７】
２０  カバー
２１  第一側面
２２  第二側面
２３  第二表面
３０  ベース
３１  第三側面
３２  第四側面
３３  第三表面
３５  第四表面
３７  貫通孔
４０  減速部材
４０ａ，４０ｂ  緩衝機構
５２  頂面
５３  第一側壁
５４  第二側壁
５５  第三側壁
５６  第四側壁
５７  接触部
６０  当止部材
６１  第一固定部
６２  第二固定部
６３  突出柱
６４  突出アーム
６５  第一固定部材
６６  第二固定部材
７０  ピボット
１００  電子装置
５７０  第一減速部
５７１  第二減速部
５７２  導引部
５７３  当止部
６１０  定位孔
６４０  接続部
６４１  突出部
６４２  接触面
【図１】
2014025584.tif 000003
【図２】
2014025584.tif 000004
【図３】
2014025584.tif 000005
【図４】
2014025584.tif 000006
【図５】
2014025584.tif 000007
【図６】
2014025584.tif 000008
【図７】
2014025584.tif 000009